(57)【要約】      （修正有）【課題】  保持部材を固定部材の組み付け後それに接触させるように固定し、かつ保持部材の固定を水平に対し５度から４５度以下の長穴部で行うことで上下の荷重および振動が掛かっても保持部を上下に動かす力を減少させることで落ち込みを防止する画像形成装置を提供する。【解決手段】  装置本体上部に配置するスキャナ装置２４とその下方に配置され、開放部の上に伸びてスキャナ装置２４を支持するスキャナ支持部２５と、スキャナ装置とスキャナ支持部２５を連結し、スキャナ支持部２５に固定されているスキャナ固定部材２７と、調整後スキャナ固定部材２７の下方に接触するように前記スキャナ支持部２５に固定された保持部材２８を有し、長穴部２８Ａにより保持部材２８を水平に動かすことで上下方向にも移動可能となり必ず前記スキャナ固定部材２７に接触する。【選択図】        図２
2006178387.tif 000002
【特許請求の範囲】
【請求項１】
装置本体上部に配置するスキャナ装置と、その下方に配置され４面中２面が開放された排紙用の開放部と、を備えた胴内排紙型の画像形成装置において、前記装置本体に固定され前記開放部の上方に伸びて前記スキャナ装置を支持するスキャナ支持部材と、前記スキャナ装置を支持するとともに前記スキャナ支持部材に対する前記スキャナ装置の姿勢を上下方向に調整可能なように前記スキャナ支持部材にネジ止めされるスキャナ固定部材と、前記スキャナ支持部材、または前記スキャナ固定部材に可動な状態で配置される保持部材と、を有し、前記保持部材は、水平方向に対して５度から４５度以下の範囲で斜め上下方向へ傾斜した長穴部を有し、この長穴部を他方の部材に設けたネジ穴と連通した状態でネジ固定することにより前記保持部材の位置を調整することにより前記スキャナ装置を水平姿勢に調整可能に構成したことを特徴とする画像形成装置。
【請求項２】
前記保持部材は、前記スキャナ支持部材が前記装置本体に固定されている部分から最も離れた位置に固定されていることを特徴とする請求項１記載の画像形成装置。
【請求項３】
前記保持部材と、前記スキャナ固定部材、または前記スキャナ支持部材が略水平直線状に接触し、前記保持部材の固定がネジ１点であることを特徴とする請求項１または２記載の画像形成装置。
【請求項４】
前記保持部材により前記スキャナ支持部材に対する前記スキャナ装置の角度を調整した状態における前記スキャナ固定部材の位置を示すマーキングを備えたことを特徴とする請求項１ないし３のいずれか１項記載の画像形成装置。
【請求項５】
装置本体上部に配置するスキャナ装置と、その下方に配置され４面中２面が開放された排紙用の開放部と、を備えた胴内排紙型の画像形成装置において、前記装置本体に固定され前記開放部の上方に伸びて前記スキャナ装置を支持するスキャナ支持部材と、前記スキャナ装置を支持するとともに前記スキャナ支持部材に対する前記スキャナ装置の姿勢を上下方向に調整可能なように前記スキャナ支持部材にネジ止めされるスキャナ固定部材と、前記スキャナ支持部材、または前記スキャナ固定部材に可動な状態で配置される保持部材と、を有し、前記保持部材は、中間部に回転中心を有しかつ２本のアームを備えるテコ形状のレバーであり、一方のアームを前記スキャナ固定部材の下方に接触させ、他方のアームを前記スキャナ支持部材に固定することによって前記スキャナ固定部材および前記スキャナ装置の動きを規制するストッパ機構として役立つことを特徴とする画像形成装置。
【請求項６】
前記保持部材の前記他方のアーム側に設けられた長穴と、その長穴１に５度から４５度で交差するように前記スキャナ支持部材に設けられた長穴と、前記長穴を貫通する軸を有しかつ前記スキャナ支持部材および前記保持部材を挟み込んで固定するための締結部材を設け、この締結部材をスキャナ支持部材に設けられた前記長穴に沿ってスライドさせることによって前記保持部材を回動させ、前記一方のアームを介して前記スキャナ固定部材および前記スキャナ装置を移動可能としたことを特徴とする請求項５記載の画像形成装置。
【請求項７】
前記各長穴は同一の幅を有することを特徴とする請求項５または６記載の画像形成装置。
【請求項８】
前記締結部材は、板材に固定されかつネジ部を有する軸と、前記スキャナ支持部材および前記保持部材を挟み込むつまみネジを備えることを特徴とする請求項６または７記載の画像形成装置。
【請求項９】
前記締結部材の板材に取っ手を設けたことを特徴とする請求項５乃至８のいずれか１項記載の画像形成装置。
【請求項１０】
前記締結部材の板材に凹所を設けたことを特徴とする請求項５乃至８のいずれか１項記載の画像形成装置。
【発明の詳細な説明】
【技術分野】
【０００１】
本発明は、排紙部に相当する４側面中の２面が排出された用紙の取り出し性確保のため開放されている胴内排紙構造を採用している画像形成装置に関するものである。
【背景技術】
【０００２】
従来の胴内排紙機構を有する複写機では、排紙された用紙の視認性、取り出し性を向上するために排紙部の４面中２面が開放されている（例えば、特許文献１参照）。
上述のごとく、胴内排紙機構を有する複写機では、排紙された用紙の視認性、取り出し性向上のために排紙部の４つの側面中の２面が開放されている。胴内排紙機構の上部に配置されているスキャナの４点の支持部中３点は装置筐体に下方を支持されているが開放２面の交点にあたる１点は隣にある他点から支持部材を伸ばして支えている構造となっている。ただ、前述の１点は下方を直接支持していないため荷重による変形等が発生しやすいため、補強も兼ねてスキャナ→固定部材→支持部材で固定される。
また、スキャナはその平面性（コンタクトガラスの平面性）が確保されていない場合に読み取り原稿が斜行するため、支持部材とスキャナとの連結状態を調整可能としてスキャナの平面度を調整する必要があったが、支持部材が装置本体に他点で固定されているために上記調整は難しく、固定部材と支持部材との固定部で調節することで対応していた。通常、固定部材に設けられた上下方向の長穴部で支持部とネジ止めすることで長穴の長さ分だけ調整可能な構成となっている。
【特許文献１】特開平１１−８４７９７号公報
【発明の開示】
【発明が解決しようとする課題】
【０００３】
しかしながら、荷重方向は、通常、上下方向であり、調整用の長穴と同じ方向であるため、ネジの保持力を超える大きな荷重や振動により長穴によってネジを支持し切れずに、ネジが長穴内をスライド移動し、スキャナの落ち込みが発生する場合がある。
そこで、本発明の目的は、スキャナ装置を、スキャナ固定部材を介してスキャナ支持部材に組み付けるに際して、スキャナ固定部材のスキャナ支持部材に対する高さ位置が落ち込みを起こすことを防止するものであり、スキャナ支持部材に設けた保持部材を用いてスキャナ固定部材の高さ位置を微調整すると共に、微調整に際して保持部材の固定を水平に対し５度から４５度以下の傾斜を有した長穴部にて行うことで上下の荷重および振動が掛かっても保持部を上下に動かす力としてはその１／１０〜７／１０に減少させることで落ち込みを防止する画像形成装置を提供することにある。
【課題を解決するための手段】
【０００４】
上記の課題を解決するために、請求項１に記載の発明は、装置本体上部に配置するスキャナ装置とその下方に配置され、４面中２面が開放された排紙用の開放部を備えた胴内排紙型の画像形成装置において、前記装置本体に固定され前記開放部の上方に伸びて前記スキャナ装置を支持するスキャナ支持部材と、前記スキャナ装置を支持すると共に前記スキャナ支持部材に対する前記スキャナ装置の姿勢を上下方向に調整可能なように前記スキャナ支持部材にネジ止めされるスキャナ固定部材と、前記スキャナ支持部材、又は前記スキャナ固定部材に配置された保持部材と、を有し、前記スキャナ支持部材、又は前記スキャナ固定部材の何れか一方に設けた前記保持部材は、水平方向に対して５度から４５度以下の範囲で斜め上下方向へ傾斜した長穴部を有し、該長穴部を他方の部材に設けたネジ穴と
連通した状態でネジ固定することにより該保持部材の位置を調整することにより前記スキャナ本体を水平姿勢に調整可能に構成したことを特徴とする。
なお、装置本体上部に配置するスキャナ装置とその下方に配置され、４面中２面が排出された用紙の取り出し性確保のため開放されている胴内排紙型である画像形成装置において、前記装置本体に固定され、開放部の上に伸びてスキャナ装置を支持するスキャナ支持部と、前記スキャナ装置と前記スキャナ支持部を連結し、このスキャナ支持部を補強するとともにスキュ−補正のために上下方向に調整可能なように前記スキャナ支持部に固定されているスキャナ固定部材と、調整後前記スキャナ固定部材の下方に接触するように前記スキャナ支持部に固定された保持部材を有し、この保持部材はそのほぼ中央部に設けられた水平に対し５度から４５度以下の長穴部をネジで前記スキャナ支持部に固定し、前記長穴部により前記保持部材を水平に動かすことで上下方向にも移動可能となり必ず前記スキ
ャナ固定部材に接触するように構成してもよい。
【０００５】
また、請求項２に記載の発明は、前記保持部材は、前記スキャナ支持部材が前記装置本体に固定されている部分から最も離れた位置に固定されている請求項１記載の画像形成装置を特徴とする。
また、請求項３に記載の発明は、また、請求項３に記載の発明は、前記保持部材と前記スキャナ固定部材が略水平直線状に接触し、前記保持部材の固定がネジ１点である請求項１または２記載の画像形成装置を特徴とする。
また、請求項４に記載の発明は、前記保持部材により、前記スキャナ支持部材に対する前記スキャナ本体の角度を調整した後、前記スキャナ固定部材の外形形状に沿わせてマ−キングを追加した請求項１乃至３のいずれか１項に記載の画像形成装置を特徴とする。
なお、前記スキャナ固定部材を調整し、前記保持部材を取り付けた後、前記スキャナ固定部材の下方外形形状に沿わせてマ−キングを追加するように構成しても良い。
また、請求項５に記載の発明は、装置本体上部に配置するスキャナ装置と、その下方に配置され４面中２面が開放された排紙用の開放部と、を備えた胴内排紙型の画像形成装置において、前記装置本体に固定され前記開放部の上方に伸びて前記スキャナ装置を支持するスキャナ支持部材と、前記スキャナ装置を支持するとともに前記スキャナ支持部材に対する前記スキャナ装置の姿勢を上下方向に調整可能なように前記スキャナ支持部材にネジ止めされるスキャナ固定部材と、前記スキャナ支持部材、または前記スキャナ固定部材に可動な状態で配置される保持部材と、を有し、前記スキャナ支持部材、または前記スキャナ固定部材の何れか一方に設けた前記保持部材は、中央部に回転中心を有しかつ２本のアームを備えるテコ形状のレバーであり、一方のアームを前記スキャナ固定部材の下方に接触させ、他方のアームを前記スキャナ支持部材に固定することによって前記スキャナ固定部材および前記スキャナ装置の動きを規制するストッパ機構として役立つ画像形成装置を特徴とする。
【０００６】
また、請求項６に記載の発明は、前記保持部材の前記他方のアーム側に設けられた長穴と、その長穴１に５度から４５度で交差するように前記スキャナ支持部材に設けられた長穴と、前記長穴を貫通する軸を有しかつ前記スキャナ支持部材および前記保持部材を挟み込んで固定するための締結部材を設け、この締結部材をスキャナ支持部材に設けられた前記長穴に沿ってスライドさせることによって前記保持部材を回動させ、前記一方のアームを介して前記スキャナ固定部材および前記スキャナ装置を移動可能とした請求項５記載の画像形成装置を特徴とする。
また、請求項７に記載の発明は、前記両方の長穴が同一の幅を有する請求項５または６記載の画像形成装置を特徴とする。
また、請求項８に記載の発明は、前記締結部材が、板材に固定されかつネジを有する軸と、前記スキャナ支持部材および前記保持部材を挟み込むつまみネジを備える請求項６または７記載の画像形成装置を特徴とする。
また、請求項９に記載の発明は、前記締結部材の板材に取っ手を設けた請求項５乃至８のいずれか１項記載の画像形成装置を特徴とする。
また、請求項１０に記載の発明は、前記締結部材の板材に凹所を設けた請求項５乃至８のいずれか１項記載の画像形成装置を特徴とする。
【発明の効果】
【０００７】
本発明によれば、スキャナ固定部材の組み付け後にこのスキャナ固定部材に接触させるように保持部材を固定し、かつ保持部材の固定を水平に対し５度から４５度以下の長穴部で行うことで上下の荷重および振動が掛かっても保持部材を上下に動かすのに要する力を、その１／１０〜７／１０に減少させることで落ち込みを防止することができる。
【発明を実施するための最良の形態】
【０００８】
以下、図面を参照して、本発明の実施の形態を詳細に説明する。図１はカラー画像形成装置の構成、及び画像形成動作について説明する概略図である。図１において、可撓性のベルト状像担持体としての感光体ベルト１は、感光体駆動ロ−ラ２、および従動ロ−ラ３ａ、３ｂに張設され、矢印方向（時計廻り）に回転移動する。
感光体ベルト１は、帯電チャージャ４により一様に帯電された後、レーザ書き込みユニット５により、画像情報に基づいて発光が制御されるレーザの走査露光を受け、表面には静電潜像が形成される。
感光体ベルト１を回転させながら走査露光し、静電潜像を形成する１工程に用いる画像情報は、所望のフルカラー画像をマゼンタ、シアン、イエロー、および黒の色情報に分解した単色の画像情報である。この情報により、半導体レーザの発光を制御する。発生するレーザビームは光学装置（レーザ書き込みユニット）５により走査、および光路調整し、出力する。
単色の画像情報に基づいて形成された静電潜像は、カラー現像装置６ａ、６ｂ、６ｃ、６ｄにより対応するマゼンタ（Ｍ）、シアン（Ｃ）、イエロー（Ｙ）、および黒（Ｂｋ）トナーで各々単色現像され、感光体ベルト１上に各々の色画像が順次形成される。
図１中の矢印方向（時計廻り）に回転する感光体ベルト１上に形成されたＭ、Ｃ、Ｙ、Ｂｋの各単色画像は、同図中の矢印方向（反時計廻り）に回転する中間転写ベルト１０上に、バイアスローラ１３に印加された所定の転写バイアスの作用により、順次重ね転写される。
中間転写ベルト１０上に重ね合わされたＭ、Ｃ、Ｙ、Ｂｋの画像は、給紙台（給紙カセット）１７から給紙ローラ１８、グリップローラ対１９ａ、１９ｂ、レジストローラ対２０ａ、２０ｂを経て、転写部へ搬送された転写紙１７ａ上に転写ローラ１４により一括転写される。図１において、符号１１は中間転写ベルト１０の駆動ローラ、１２は従動ローラである。
転写終了後、転写紙１７ａは定着装置２１により定着されて、フルカラー画像が完成し、排紙ローラ対２２ａ、２２ｂを経て、排紙スタック部２３に排出される。排紙スタック部２３の前面および左側の面が胴内排紙の開放面となる。なお、排紙スタック部２３の上方にはスキャナ装置２４を示してある。
【０００９】
図２は図１の画像形成装置のスキャナ支持部の第１の実施の形態をこの画像形成装置の左から見た側面図である。図３は図２に使用する保持部材の周辺を示す拡大図である。図２および図３において、スキャナ支持部のスキャナ支持部材２５は本体後側板２６にネジ固定されている。
スキャナ固定部材２７は、図のような板形状でスキャナ装置２４とは両者の対応箇所に形成された穴Ａ同志をネジ止めすることにより固定され、またスキャナ固定部材２７とスキャナ支持部材２５とは何れか一方に形成された長穴Ｂと他方に形成された丸穴（ネジ穴）ｂとを夫々ネジ止めすることにより固定される。
長穴Ｂに対する丸穴ｂの位置を微調整することにより、スキャナ固定部材２７に固定されたスキャナ装置２４を水平姿勢となるように調整できる（つまり、支持部材２５に対する固定部材２７の上下方向位置、角度を調整することにより、スキャナ本体２４を水平姿勢に調整できる）。
しかし、長穴Ｂは上下方向へ延びる長穴形状となっているため、上からの力に対してはネジの保持力に依存するしかなく、大きな力や振動により上下方向へずれることがある。
そこで本発明では斜め方向（水平方向でもなく、垂直方向でもない方向）へ延びる長穴部２８Ａを貫通形成した保持部材２８をスキャナ支持部材に追加する。この保持部材２８は図のようにスキャナ支持部材２５の右側寄り位置に移動可能な状態で取り付けられる。
すなわち、保持部材２８には長穴部２８Ａを設けるとともに、スキャナ固定部材２７にはこの長穴部２８Ａと連通可能な丸穴ｃを設け、両穴を図示しないネジによりネジ止めすることにより、スキャナ支持部材２５に対する保持部材２８の位置関係（角度、高さ）を調整できる。つまり、保持部材２８は長穴部２８Ａがネジに係合することにより、長穴部に沿って移動可能となる。
【００１０】
保持部材２８に設けられた長穴部２８Ａは、水平方向に対し５度〜４５度の範囲で右上がりに傾斜した形状であり、実際に保持部材２８の位置を下げるためには、ネジにより保持部材２８を上下方向へ回動自在に支持したスキャナ支持部材２５に対して、保持部材２８を長穴部２８Ａに沿って左下方向に動かす力が必要となり、その方向に働く力は上からの力Ｆ（鉛直方向下向きの力）の１／１０〜７／１０となる。
また、スキャナ固定部材２７は、丸穴ｃと長穴部２８Ａに挿通したネジ１点でスキャナ支持部材２５に固定されているが、図のように上から力Ｆが掛かった場合、保持部材２８のネジ止め部を中心に左右に力が掛かるためネジ止め１点でも十分機能を果たす。
なお、上記実施の形態では、スキャナ支持部材２５の適所に長穴部２８Ａを備えた保持部材２８を可動な状態で設け、スキャナ固定部材２７側に丸穴ｃを設けたが、これとは逆にスキャナ固定部材２７側に長穴部２８Ａを備えた保持部材２８を可動な状態で設け、スキャナ支持部材２５側に丸穴ｃを設けても良い。
本発明によれば、スキャナ固定部材２７、またはスキャナ支持部材２５の何れか一方に設けた保持部材２８は水平方向に対して５度から４５度以下の範囲で斜め上下方向へ傾斜した長穴部２８Ａを有している。この長穴部２８Ａを他方の部材に設けたネジ穴ｃと連通した状態でネジ固定することにより保持部材２８の位置を調整する。
これによりスキャナ本体を水平姿勢に調整可能に構成しており、さらにスキャナ本体から離れた位置に保持部材２８を設けることで水平度調整作業における効率化を図ることができる。
【００１１】
また、保持部材２８のネジ固定を１点にすることで保持部材２８はネジを中心に回転できるが、図３に示した実施の形態では、保持部材２８の直線状の（平坦な）上面２８ａと、スキャナ固定部材２７の平坦な下面２７ａとが略水平状に直線で接触しているため、ネジを中心としてその両側に力が釣り合うように掛かる効果が得られ、かつ保持部材２８の小型化を図ることができる。
保持部材２８をスキャナ固定部材２７側に支持する場合には、保持部材２８の下面側に設けた図示しない平坦面を、スキャナ支持部材２５適所に設けた平坦面と当接させることになる。
本発明によれば、さらに、スキャナ支持部材２５に対するスキャナ本体２４の角度を調整した後、スキャナ固定部材２７の外形形状に沿わせてマ−キング（正規の位置関係確認用の目印）を追加する。
すなわち、最初に取り付けた段階でスキャナ本体２４、スキャナ固定部材２７、或いは保持部材２８等が水平な姿勢にあることを示すマ−キングを追加して水平姿勢にあることを目視確認可能な構成とすることで、出荷された以降、即ち市場やユーザサイドでのスキャナの落ち込み確認を容易にすることができ、かつずれていた場合、それに合わせて再調整し易くすることができる。
【００１２】
図４は図１の画像形成装置のスキャナ支持部の第２の実施の形態をこの画像形成装置の左から見た側面図である。図５は図４に使用する保持部材の周辺を示す拡大図である。図４および図５において、スキャナ支持部のスキャナ支持部材２５は本体後側板２６にネジ固定されている。
スキャナ固定部材２７は図のような板形状で、スキャナ装置２４とは穴Ａで、またスキャナ支持部材２５とは穴Ｂを回転中心とし穴Ｃでネジ固定されている。穴Ｃは上下の長穴形状部分となっているため上からの力に対してはネジの保持力しかなく、大きな力や振動によりずれることがある。そこで、保持部材２８を追加する。この保持部材２８は図のように軸Ｄを回転支点として上下方向へ回動自在に支持部材２５に取り付けられている。
図４において、保持部材２８はＤを回転中心とする２本のアームを有する逆へ字型のテコ形状のレバーになっている。一端である一方のアームＥはスキャナ固定部材２７の下端を保持するために図のように接触させ、他端である他方のアームＦをスキャナ支持部材２５に対して所定の位置関係にて固定することにより、アームＥの位置を確定する。
このように保持部材２８をスキャナ固定部材２７に接触させるように固定することで上下の荷重および振動が掛かってもスキャナ固定部材２７の落ち込みを防ぐことができる。
他端Ｆには長穴Ｆ１が貫通形成され、それと交差するようにスキャナ支持部材２５には長穴２５ａが設けられている。２つの長穴Ｆ１、２５ａの交差部には締結部材３０が配置され、後述するその軸３１が２つの長穴Ｆ１、２５ａを貫通している。締結部材３０は、スキャナ支持部材２５と保持部材２８を接触させた状態で両側から挟み込んだ状態で固定されている。
【００１３】
スキャナ２４やスキャナ固定部材２７に大きな力や上下方向の振動Ｆが加わった場合、それらは矢印Ｏのように保持部材２８を通して締結部材３０に伝わる。しかしながら、締結部材３０の移動可能方向が矢印Ｎ方向なのでそれを動かす力としては１／１０〜７／１０に低減され、それらは締結部材３０の挟み込みによる力で保持することが可能となる。
また、逆に締結部材３０を矢印Ｎ方向に移動させることで、保持部材２８の一端Ｅを上下動させることが可能で、Ｅを介してスキャナ装置２４やスキャナ固定部材２７を上下動させることが可能となる。
このように２つの長穴Ｆ１、２５ａおよび軸３１のリンク機構を用いることにより保持部材２８での保持力を増大させる（締結部材３０の移動方向に掛かる力を小さくする）とともに、締結部材３０の移動によるスキャナ固定部材２７およびスキャナ装置２４を保持可能とする。２つの長穴Ｆ１、２５ａの幅を統一することで締結部材３０の軸３１をストレ−ト形状（同一径）にでき、コスト上昇を防止することができる。
図６は締結部材を図５の位置から左方向に移動させた場合を示す拡大図である。締結部材３０を矢印Ｐで示す左側に移動させた場合、保持部材２８の他端Ｆは長穴Ｆ１の作用により下降する。それにより一端Ｅは上昇し、スキャナ２４やスキャナ固定部材２７を持ち上げる。
図７は締結部材を図５の位置から右方向に移動させた場合を示す拡大図である。図７には締結部材３０を矢印Ｑで示す右方向に移動させた場合を示している。動作は図６と逆となる。すなわち、保持部材２８の他端Ｆは長穴Ｆ１の作用により上に上がる。それにより一端Ｅは下降し、スキャナ２４やスキャナ固定部材２７を下降する。
【００１４】
図８は締結部材の板材３０ａ側から見た拡大図である。図９は図８の線９−９に沿う締結部材および保持部材を示す断面図である。図８および図９において、締結部材３０は板材３０ａ、軸３１、およびつまみネジ３２から構成されている。
軸３１は板材３０ａに固定されており、スキャナ支持部材２５の図の右側から長穴Ｆ１、長穴２５ａの交差したところに挿入される。その軸３１の外周にはネジが切られているため、つまみネジ３２に設けた雌ねじに軸３１を締め込んでゆき、スキャナ支持部材２５と保持部材２８とを、板材３０ａとつまみネジ３２とで挟み込むようにして固定する。
つまみネジ３２を使用することによって、ドライバ等の工具は不要である。つまみネジ３２を少し弛めることで図６および図７のように締結部材３０を移動させることができる。
なお、板材３０ａには取っ手３０ｂが設けられており、つまみネジ３２を弛めた後、この取っ手３０ｂを持って移動させてもよいし、より強い力が必要ならつまみネジ３２と取っ手３０ｂを両手で持って移動させてもよい。
締結部材３０による締結を緩めたり強めたりする操作を、つまみネジ３２を使用する構成にすることにより、サ−ビスマンが市場で調整する際、特別な工具を要することなく調整できる。また、つまみネジ３２と反対側に取っ手３０ｂを設けることでつまみネジ３２、取っ手３０ｂを両手の指で持つことができ、調整の際の作業性を向上することができる。
さらに、締結部材３０（板材３０ａ）の端縁の一部に凹凸（凹所）３０ｄを設けることにより調整作業前の位置をその凹凸３０ｄに合わせてマ−キングすることで記録することができ、調整自体の作業性を向上することができる。
図８に示すように、矩形の板材３０ａの一つの端縁には、ほぼ長穴２５ａと同じ幅の突起である回り止め３０ｃ設け、回り止め３０ｃの一部が長穴２５ａ内に嵌合して長穴２５ａ内に沿って移動できるようにしている。これはつまみネジ３２を締め込んだ際、板材３０ａ自体が回らないようにするためである。また、ほぼ中央部に凹所３０ｄを設けている。締結部材３０の調整のために移動する前にマジック等の筆記具でチェックを入れることで調整の目安にすることができる。
【図面の簡単な説明】
【００１５】
【図１】カラー画像形成装置の画像形成動作について説明する概略図。
【図２】図１の画像形成装置のスキャナ支持部の第１の実施の形態をこの画像形成装置の左から見た側面図。
【図３】図２に使用する保持部材の周辺を示す拡大図。
【図４】図１の画像形成装置のスキャナ支持部の第２の実施の形態をこの画像形成装置の左から見た側面図。
【図５】図４に使用する保持部材の周辺を示す拡大図。
【図６】締結部材を図５の位置から左方向に移動させた場合を示す拡大図。
【図７】締結部材を図５の位置から右方向に移動させた場合を示す拡大図。
【図８】締結部材の板材側から見た拡大図。
【図９】図８の線９−９に沿う締結部材および保持部材を示す断面図。
【符号の説明】
【００１６】
２４  スキャナ装置、２５  スキャナ支持部材、２５ａ  長穴（スキャナ支持部材の）、２７  スキャナ固定部材、２８  保持部材、２８Ａ  長穴部、２９  装置本体（画像形成装置本体）、３０  締結部材、３０ａ  締結部材の板材、３０ｂ  板材の取っ手、３０ｃ  板材の回り止め、３０ｄ  板材の凹所、３１  締結部材の軸、３２  締結部材のつまみネジ、Ｆ１  長穴（保持部材の）
【図１】
2006178387.tif 000003
【図２】
2006178387.tif 000004
【図３】
2006178387.tif 000005
【図４】
2006178387.tif 000006
【図５】
2006178387.tif 000007
【図６】
2006178387.tif 000008
【図７】
2006178387.tif 000009
【図８】
2006178387.tif 000010
【図９】
2006178387.tif 000011